【手続補正書】
【提出日】平成27年8月5日(2015.8.5)
【手続補正１】
【補正対象書類名】明細書
【補正対象項目名】０００２
【補正方法】変更
【補正の内容】
【０００２】
従来、密閉型回転圧縮機は、冷媒ガスを吸入して吸入した冷媒を圧縮する圧縮機構と、圧縮機構を駆動させる電動機構と、が密閉容器に収容された構成となっている。
圧縮機構は、断面円形の内周面を具備する筒状体であるシリンダと、シリンダ内に配置された円筒状のローリングピストンと、ローリングピストンを偏心回転させる駆動軸（クランクシャフト）と、シリンダに形成されたベーン溝に進退自在に配置されたベーンと、駆動軸を回転自在に支持すると共に、シリンダの両端面に密着し、かつ、ローリングピストンの両端面との間およびベーンの両端面との間に、それぞれ僅かな隙間を形成する上軸受け（主軸受け）および下軸受け（副軸受け）と、を有している。
電動機構は密閉容器の内周面に設置された固定子と、固定子の内部に配置された回転子と、を有し、回転子に駆動軸が固定されている。
【手続補正２】
【補正対象書類名】明細書
【補正対象項目名】００１１
【補正方法】変更
【補正の内容】
【００１１】
本発明に係る密閉型回転圧縮機は、密閉容器に収容され、流体を吸入して吸入した流体を圧縮する圧縮機構と、該圧縮機構を駆動させる電動機構と、を有し、前記圧縮機構は、  断面円形の内周面および互いに平行な端面を具備する筒状体であるシリンダと、該シリンダ内に配置された偏心軸部を具備する駆動軸と、該駆動軸を回転自在に支持する上軸受けおよび下軸受けと、を具備し、前記上軸受けは、前記駆動軸の前記偏心軸部よりも上方を回転自在に支持する上軸受け内周面と、前記シリンダの上端面に密着する上軸受けシート面と、を具備し、前記下軸受けは、前記駆動軸の前記偏心軸部よりも下方を回転自在に支持する下軸受け内周面と、前記シリンダの下端面に密着する下軸受けシート面と、を具備し、前記上軸受けシート面に開口し、前記上軸受け内周面と平行に形成され、前記駆動軸に垂直な断面において円形の溝である上柔構造溝と、該上柔構造溝の内部圧力の増加を抑える上内圧逃がし手段と、を具備する上柔構造、および前記下軸受けシート面に開口し、前記下軸受け内周面と平行に形成され、前記駆動軸に垂直な断面において円形の溝である下柔構造溝と、該下柔構造溝の内部圧力の増加を抑える下内圧逃がし手段と、を具備する下柔構造の少なくとも一方を有することを特徴とする。
【手続補正３】
【補正対象書類名】明細書
【補正対象項目名】００１５
【補正方法】変更
【補正の内容】
【００１５】
（密閉型回転圧縮機）
図１において、密閉型回転圧縮機１００は、密閉容器９内に冷媒ガスを圧縮する圧縮機構１０１と、圧縮機構１０１を駆動する電動機構１０２とが組み込まれた構成である。
電動機構１０２は、密閉容器９の内周面に設置された固定子７と、固定子７の内部に回転自在に配置された回転子８とを備えた構成である。
圧縮機構１０１は、回転子８の回転軸に垂直な断面において断面円形の内周面および互いに平行な端面を具備する筒状体であるシリンダ３と、シリンダ３内に配置された円筒状のローリングピストン５と、ローリングピストン５が固定された偏心軸部（図示しない）を具備する駆動軸４と、駆動軸４を回転自在に支持する上軸受け１および下軸受け２と、シリンダ３に形成された複数のベーン溝に進退自在に配置された複数のベーン６と、を具備している。
【手続補正４】
【補正対象書類名】明細書
【補正対象項目名】００１８
【補正方法】変更
【補正の内容】
【００１８】
（柔構造段差）
上軸受け１には、上軸受けシート面１ａに開口し、上軸受け内周面１ｃと平行に形成された駆動軸４に垂直な断面において断面円形の上柔構造溝１３と、上軸受け内周面１ｃと上柔構造溝１３との間に形成された円筒状の上柔構造円筒１２と、が形成されている。そして、上柔構造円筒１２の端面である上柔構造端部１２ａが、全周に渡って上軸受けシート面１ａよりも上方に位置することによって、上柔構造端部１２ａと上軸受けシート面１ａとの間に上柔構造段差１１が形成されている。なお、上柔構造溝１３、上柔構造円筒１２および上柔構造段差１１を具備する構造を「上柔構造１１０」と称す。
同様に、下軸受け２には、下軸受けシート面２ａに開口し、下軸受け内周面２ｃと平行に形成された断面円形の下柔構造溝２３と、下軸受け内周面２ｃと下柔構造溝２３との間に形成された円筒状の下柔構造円筒２２と、が形成されている。そして、下柔構造円筒２２の端面である下柔構造端部２２ａが、全周に渡って下軸受けシート面２ａよりも下方に位置することによって、下柔構造端部２２ａと下軸受けシート面２ａとの間に下柔構造段差２１が形成されている。なお、下柔構造溝２３、下柔構造円筒２２および下柔構造段差２１を具備する構造を「下柔構造１２０」と称す。
【手続補正５】
【補正対象書類名】特許請求の範囲
【補正対象項目名】全文
【補正方法】変更
【補正の内容】
【特許請求の範囲】
【請求項１】
密閉容器に収容され、流体を吸入して吸入した流体を圧縮する圧縮機構と、該圧縮機構を駆動させる電動機構と、を有し、
前記圧縮機構は、
断面円形の内周面および互いに平行な端面を具備する筒状体であるシリンダと、
該シリンダ内に配置された偏心軸部を具備する駆動軸と、
該駆動軸を回転自在に支持する上軸受けおよび下軸受けと、を具備し、
前記上軸受けは、
前記駆動軸の前記偏心軸部よりも上方を回転自在に支持する上軸受け内周面と、
前記シリンダの上端面に密着する上軸受けシート面と、を具備し、
前記下軸受けは、
前記駆動軸の前記偏心軸部よりも下方を回転自在に支持する下軸受け内周面と、
前記シリンダの下端面に密着する下軸受けシート面と、を具備し、
前記上軸受けシート面に開口し、前記上軸受け内周面と平行に形成され、前記駆動軸に垂直な断面において円形の溝である上柔構造溝と、該上柔構造溝の内部圧力の増加を抑える上内圧逃がし手段と、を具備する上柔構造、および前記下軸受けシート面に開口し、前記下軸受け内周面と平行に形成され、前記駆動軸に垂直な断面において円形の溝である下柔構造溝と、該下柔構造溝の内部圧力の増加を抑える下内圧逃がし手段と、を具備する下柔構造の少なくとも一方を有することを特徴とする密閉型回転圧縮機。
【請求項２】
前記上内圧逃がし手段が、
前記上軸受け内周面及び前記上柔構造溝により形成され前記上軸受けシート面よりも上方に位置する上柔構造円筒の端面と前記上軸受けシート面との間の段差である上柔構造段差、または前記上柔構造円筒の端部の一部に形成された溝である上柔構造連通溝であり、
前記下内圧逃がし手段が、前記上軸受け内周面と前記上柔構造溝とにより形成され前記下軸受けシート面よりも下方に位置する下柔構造円筒の端面と前記下軸受けシート面との間の段差である下柔構造段差、または前記下柔構造円筒の端部の一部に形成された下柔構造連通溝であることを特徴とする請求項１記載の密閉型回転圧縮機。
【請求項３】
前記上柔構造を有す場合に、前記上軸受け内周面に、前記上軸受けの上端面に開口し、前記上柔構造段差または上柔構造連通溝を経由して前記上柔構造溝に連通する上軸受け内周溝が形成され、
あるいは、前記下柔構造を有す場合に、前記下軸受け内周面に、前記下軸受けの下端面に開口し、前記下柔構造段差または下柔構造連通溝を経由して前記下柔構造溝に連通する下軸受け内周溝が形成されていることを特徴とする請求項２記載の密閉型回転圧縮機。
【請求項４】
前記上内圧逃がし手段が、前記上柔構造溝に連通する穴である上柔構造連通穴を有し、前記上軸受け内周面に形成され、前記上軸受けの上端面に開口する上軸受け内周溝であって、
前記下内圧逃がし手段が、前記下柔構造溝に連通する穴である下柔構造連通穴を有し、前記下軸受け内周面に形成され、前記下軸受けの下端面に開口する下軸受け内周溝であることを特徴とする請求項１記載の密閉型回転圧縮機。
【請求項５】
前記上内圧逃がし手段が、前記上軸受けの外面に開口し、前記上柔構造溝に連通する上軸受け連通穴であって、
前記下内圧逃がし手段が、前記下軸受けの外面に開口し、前記下柔構造溝に連通する下軸受け連通穴であることを特徴とする請求項１記載の密閉型回転圧縮機。
【請求項６】
前記シリンダが複数であって、該複数のシリンダが中間仕切り板を介して積層され、
前記複数のシリンダのうちの最上段のシリンダの上端面および下端面に、前記上軸受けおよび前記中間仕切り板がそれぞれ密着し、
前記複数のシリンダのうちの最下段のシリンダの下端面および上端面に、前記下軸受けおよび前記中間仕切り板がそれぞれ密着していることを特徴とする請求項１〜５の何れか一項に記載の密閉型回転圧縮機。